(57)【要約】      （修正有）【課題】犬が口を開けて口輪から舌を出すことにより体温調節が十分に行なわれる犬用の口輪を提供する。【解決手段】犬用の口輪は、口輪本体１１および紐部分１２からなる。口輪本体１１は、複数のプラスチックの帯から一体成形された筒状の構造であり、各帯の間には、隙間１１２が形成されている。口輪本体１１は、前端にストッパを設けて、ストッパの下部に下方開口１１６が設けられ、口輪本体１１が犬の口および鼻に被せられた状態で犬が口を開けて口輪本体から舌３３を出して、体温調節を行なうことが出来る。【選択図】図３
0003145796.tif 000002
【実用新案登録請求の範囲】
【請求項１】
犬の頭部の前部にある口および鼻に配置される犬用の口輪であって、
後端に後部開口を設け、口および鼻に被せられる口輪本体と、
前記口輪本体の両側に挿着され、犬の後頭部に掛けられて、前記口輪本体を口および鼻に固定させる紐部分と、を備え、
前記口輪本体は、複数のプラスチックの帯により構成された筒状の構造であり、前記各帯の間には隙間が形成され、前記口輪本体は前端にストッパを設けると共に該ストッパの下部に、前記口輪本体が犬の口および鼻に被せられた状態で犬が口を開けて口輪本体から舌を出すための下方開口が設けられたことを特徴とする犬用の口輪。
【請求項２】
前記ストッパは、犬の鼻を露出させる上方開口をさらに有することを特徴とする請求項１に記載の犬用の口輪。
【請求項３】
前記口輪本体は、一体成形されたことを特徴とする請求項２に記載の犬用の口輪。
【請求項４】
前記紐部分は、互いに嵌合する係止部品をさらに備えたことを特徴とする請求項１に記載の犬用の口輪。
【考案の詳細な説明】
【技術分野】
【０００１】
本考案は、犬用の口輪に関し、特に、犬が口を開けて口輪から舌を出すことにより体温調節が十分に行なわれる犬用の口輪に関する。
【背景技術】
【０００２】
ストレスが貯まりやすい今日において、癒しを求めてペットを飼う人が多くなってきた。特に、犬は、人気のあるペットである。しかし、犬は、僅かな刺激に対しても驚き、吠えてしまうことが多く、通行人に突進したり、臭いを嗅ぐために人に近寄って驚かせたりした。発情期だったり、特定の臭いを嗅いだりすると、不意に人に襲い掛かったりすることさえもあるため、住宅が密集する都市において、犬が人々の暮らしに悪影響を与えることが多かった。
【０００３】
犬がトラブルを起こしてしまうのを避けるため、犬の散歩の際に、犬に首輪を付けて行動を限定させる以外に、口輪を被せて人に噛みついたり、無駄吠えしないようにしていた。また、犬が家の中で吠えて近所迷惑にならないように、口輪が調教に使われることも多かった。
【０００４】
以下、従来技術を図面に基づいて説明する。図４は、従来の犬用の口輪を示す斜視図である。図４に示すように、従来の犬用の口輪ａは、口輪本体ａ１の先端に犬の口および鼻に被せる開口を有する口輪開口部ａ２を設けている。口輪本体ａ１の後端に縫い付けられている紐部分ａ３を犬の後頭部に引っ掛けて口輪本体ａ１を犬の頭部に固定させる（図示せず）。この類の口輪ａは、犬が口を開けて無駄吠えしたり、噛み付いたりするのを防ぐことができる。しかし、犬は、鼻および舌により体温調節を行うため、犬の生理構造から見てみると、口に口輪を被せられ、口をあけることができない状況において、犬の基本的な生理需要に悪影響を及ぼし、命を奪ってしまう場合さえもあった。また、口輪ａの口輪本体ａ１は、布、ナイロンなどの材料からなるため、犬が口輪ａを被せられると、口および鼻が蒸れてしまったり、口輪が洗浄後、乾きにくく、ばい菌が繁殖して犬の健康を損ねることがあった。
【０００５】
図５は、従来の犬用の口輪を示すもう１つの斜視図である。図５に示すように、従来の犬用の口輪ｂは、口輪本体ｂ１がプラスチック材料により一体成形された硬い籠構造である。口輪本体ｂ１の前端にストッパｂ２が設けられ、後端に開口部ｂ１２が設けられている。ストッパｂ２および口輪本体ｂ１の側面上に複数の通気孔ｂ３が設けられ、口輪を被せた犬が拾い食いをするのを防ぐことができる。また、犬の鼻と口輪本体ｂ１との間に一定の距離が保たれるため、蒸れてしまうことを防ぐことができる。しかし、この類の口輪ｂは、犬の鼻を圧迫するため、犬が口をあけて体温調節を行うことが依然として十分にできなかった。上記の欠点を解決するため、本考案は、犬が口を開けて口輪から舌を出すことにより体温調節が十分に行なわれる犬用の口輪を提供する。
【特許文献１】特表２０００−５０４９３５号公報
【特許文献２】特開平８−９８１７号公報
【考案の開示】
【考案が解決しようとする課題】
【０００６】
本考案の第１の目的は、犬が口を開けて口輪から舌を出すことにより体温調節が十分に行なわれる犬用の口輪を提供することにある。
本考案の第２の目的は、犬が口輪を被せられたても、鼻が圧迫されて呼吸が乱れるのを防ぐ犬用の口輪を提供することにある。
【０００７】
上述の目的を達成するため、本考案は、犬用の口輪を提供する。本考案の犬用の口輪は、口輪本体および紐部分を含む。口輪本体は、複数のプラスチックの帯から一体成形された筒状の構造である。各帯の間には、隙間が形成されている。口輪本体は、前端にストッパを設けて、ストッパの下部に下方開口が設けられ、口輪本体が犬の前記口および鼻に被せられると、犬が口を開けて口輪本体から舌を出すことが可能である。
【考案の効果】
【０００８】
本考案の犬用の口輪は、口輪本体の前端のストッパが上方開口および下方開口を設けていることにより、犬の鼻が口輪に圧迫されて呼吸が乱れるのを防ぎ、犬が口を開けて口輪本体の下方開口から舌を出して体温調節を十分に行うことができる。本考案の口輪本体は、プラスチック材料により一体成形された硬い籠構造であり、口輪本体と犬の鼻との間に一定の距離が保たれるため、快適さを増加させ、洗浄または乾燥が容易で、犬の健康を維持することができる。また、調節ができるナイロン紐を用いているため、体型が異なる犬でも、使用することができ、口輪の使い勝手を向上することができる。
【考案を実施するための最良の形態】
【０００９】
以下、本考案の実施形態を図面に基づいて説明する。図１は、本考案の一実施形態による犬用の口輪を示す斜視図である。図２は、本考案の一実施形態による犬用の口輪を示す側面図である。図１および図２に示すように、本考案の一実施形態による犬用の口輪１は、口輪本体１１および紐部分１２を含む。
【００１０】
口輪本体１１は、複数のプラスチックの帯１１１から一体成形された筒状の構造である。各帯１１１の間には、隙間１１２が形成されている。口輪本体１１は、前端にストッパ１１３を設けると共に、後端に後部開口１１４を設けている。口輪本体１１の上部には上方開口１１５が設けられ、下部には下方開口１１６が設けられている。
【００１１】
紐部分１２は、左側の紐１２１および右側の紐１２２からなる。左側の紐１２１および右側の紐１２２は、一方の端部が口輪本体１１の後部開口１１４の両側にそれぞれ挿着され、もう一方の端部には、オスバックル２１およびメスバックル２２がそれぞれ設けられている。左側の紐１２１および右側の紐１２２は、オスバックル２１がメスバックル２２に挿入されて１つに結合する。
【００１２】
図３は、犬用の口輪を犬の頭部に装着した状態を示す側面図である。図３に示すように、本考案の犬用の口輪を用いる際は、まず、口輪本体１１の後部開口１１４を犬の頭部３の前方の口および鼻３１に装着する。この時、１１の前端のストッパ１１３は、犬が無駄吠えをしたり、噛みついたりするのを防ぐことができる。また、口輪本体１１は、犬の口および鼻３１との間に一定の距離を保ち、犬の鼻３２を口輪本体１１の上方開口１１５から露出させ、圧迫されるのを防ぐことができる。そのうえ、犬は、口を開けて口輪本体１１の下方開口１１６から舌３３を出すことができ、体温調節を十分に行うことができる。
【００１３】
紐部分１２は、弾性を有し、調節ができるナイロン紐でもよい。ナイロン紐は、両方の端部が口輪本体１１の後部開口１１４の両側にそれぞれ縫い付けられ、口輪本体１１が犬の頭部から外れてしまうのを防ぐ。
【００１４】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【図面の簡単な説明】
【００１５】
【図１】本考案の一実施形態による犬用の口輪を示す斜視図である。
【図２】本考案の一実施形態による犬用の口輪を示す側面図である。
【図３】犬用の口輪を犬の頭部に装着した状態示す側面図である。
【図４】従来の犬用の口輪を示す斜視図である。
【図５】従来の犬用の口輪を示すもう１つの斜視図である。
【符号の説明】
【００１６】
１  犬用の口輪
３  犬の頭部
１１  口輪本体
１２  紐部分
２１  オスバックル
２２  メスバックル
３１  口および鼻
３２  鼻
３３  舌
１１１  帯
１１２  隙間
１１３  ストッパ
１１４  後部開口
１１５  上方開口
１１６  下方開口
１２１  左側の紐
１２２  右側の紐
【図１】
0003145796.tif 000003
【図２】
0003145796.tif 000004
【図３】
0003145796.tif 000005
【図４】
0003145796.tif 000006
【図５】
0003145796.tif 000007